(57)【要約】      （修正有）【課題】レコーダー内でレーベル印刷を行うためにインクカートリッジとその駆動装置とデスク押さえ器具繰り上げ装置と、デスク繰り上げ装置とを備えたＤＶＤレコーダー。【解決手段】ＤＶＤデスクが録画されたときに、すぐに、そのレーベル面に印刷を施すために、ＤＶＤレコーダーに印刷機能を付け加えて、レコーダーから、デスクを取り出したときにはデスクにレーベル印刷が施されているようにするために、レコーダー内にインクカートリッジを取り付け、そのインクカートリッジは、一般のプリンター同様に左右前後に移動する駆動装置を備えており、デスクが紙のように前へ繰り出さなくても印刷が可能になる。さらにインクカートリッジは、デスクの表面を移動するようになっているので、デスク押さえ器具は、上部に移動するように構成されており、またデスクを回転軸から繰り上げるために、デスク繰上げ装置が取り付けられる。【選択図】図２
0003130945.tif 000002
【実用新案登録請求の範囲】
【請求項１】
ＣＤ，ＤＶＤの光学記録装置にプリンターを一体化して取り付けることで、ひとつの機械とすること。
【請求項２】
装置はパソコンに取り込めるソフトによって駆動可能であること。
【請求項３】
【考案の詳細な説明】
【技術分野】
【０００１】      本考案はパソコン関連機器に関するものである。
【背景技術】
【０００２】      パソコンで映像を表したり映像を記録したりするのに、最近ではほとんどがＣＤ，ＤＶＤを用いている、この光学記録デスクはレーザーを用いて行われている、すでに記録されて販売されている映像などが入っているデスクは、その円盤の表面に何が入っているのかを文字や写真などのプリントで施されていてデスクが何であるかがすぐ分かる。それと異なり空のデスクを買って自分で記録するためのものは、記録が終わったら自分でそのデスクに文字を入れて保管することになっている。
【考案の開示】
【考案が解決しようとする課題】
【０００３】        自分でＤＶＤ，やＣＤに内容を記録をした後に、その内容が何であるかを分かりやすくするために、デスクそのものや、デスクのケースに内容を書いて記録しておくことは、そのデスクの枚数が少ない場合は、それほど手間である事にはならないが、その枚数が多くなればなるほど手間がかかってくる。そして一度に多くの枚数を記録して、それらデスクの表面や、ケースに内容を記録するのはかなりの手間となってくる。またこのこととは別に、人によっては手書きで書いたものは文字が汚くて気分がよくないなどの思いもできてくるだろうし、また大事に思う記録内容に対しては書いたもののレイアウトなどをもっとうまく作りたいなどの要求も出てくる。
ＤＶＤに映像を残すようになる前の記録媒体はほとんどがビデオテープに記録を残していた。このときもその記録内容についてその内容をしることは用意ではなかった。そのために高速で中身を見ることができるような、機械を開発したりしていた。しかし使う側にとってはその記録媒体であるビデオテープ事態に何が入っているかが分かることが一番良いことは明らかであった。以上のようなことにおいてテープがたくさんになるにつれて、その内容を書かないで数を増やしていった結果、これは何が入ったものだろうかと思っても、その中身は機械にかけなければ分からないので、機械にかけてみて、ああそうなのかと分かるが、ここまで来るのにはかなり時間がかかってしまうことになる。したがってなんだか分からなくなってしまったビデオテープがいくつかはどこの家庭にもあることになる。
以上のような事態になってしまった。ビデオテープの場合のように、これからの媒体であるＤＶＤにも同じような事態を招かないようにするにはどうしたらよいだろうかと言うことが本考案の解決すべき事柄である。
【課題を解決するための手段】
【０００４】    問題を解決するための手段として、光学記録装置と印刷機器をいったいにした装置を作り上げることによって、レーザー記録装置によって記録されたデスクの反体面にプリンターによってその内容の何であるかを印刷することにすれば、機械の中からデスクを取り出したときには何のデスクであるかが最初から分かるようになっているのである。したがってこのデスクをケースなどにそのまま収納すればそれですべてが出来上がることになる。
【考案の効果】
【０００５】      上記のように機械を作ることによって、これまでの記録媒体のように、内容が何であるかを、直接目にすることができるので、家庭において記録した、子供の成長記録などの映像が入っている事などがすぐに分かるのである。そのほかいろいろな記録に関してもすぐになんであるかが分かることによって、すばやくその映像を見るかどうかが判断できることになり、作業性は格段に上がってくるので、大量にビデオ映像などを作ってもおおすぎてこまるということはなくなる。それゆえに、一般家庭において、さらにビデオ撮影を数多くするようになる可能性が増してくることになる。
【考案を実施するための最良の形態】
【０００６】      光学ドライブの片方の面にデスクに接するような形になるインク噴射面を取り付けておくことによって、光学記録が終了した時点において、デスクを一定に固定して、そのデスクに対して印刷を開始するようにした、ソフトによってその機能を制御する光学装置と、プリント装置である。
【実施例】
【０００７】    以下添付図面に従って一実施例を説明する。図１は本考案の概観図で、１はプリンター部が収納されている部分である。３はトレイ部分である。【０００８】    図２はプリンター部とデスク及びトレイ部分である。５はデスクで、６はデスク押さえ部品で、この部品はプリントする場合には邪魔になるので、プリントするときには自動的に上部へ持ち上がるようになっている。そして７のインク部分がその間を通って移動できるようになっている。８はトレイで、９はインク移動の際のガードレールである。【０００９】    図３は側面図でトレイ８の上にＤＶＤ５が乗っている状態で、デスク繰上げ固定器具１０がデスクの下にある。この段階ではデスク押さえ部品６はデスクを固定している状態にある。それからインク７もデスクから離れた位置にあって、あくまでも光学ドライブの使用状態にある。図４ではデスク押さえ部品６は上に上がって、デスク繰上げ固定器具も上に上がっていて、インクはデスク面に接している。この状態になるとプリンターが作動できるようになるように作られている。これらはパソコンに組み込まれる起動ソフトによって駆動するようになっている。
【産業上の利用可能性】
【０００１０】    産業における利用可能性は、すぐに分かるように、光学記録装置及びプリンター機器に関して今までより多くの機種が生産されるのである。
【図面の簡単な説明】
【図１】    本考案の概観図である
【図２】    大まかな機械の見取り図である
【図３】    本考案の内部側面図で、プリンター部が起動していない図である。
【図４】    側面図でプリンター部が、起動できる準備が整ったときの図である。
【符号の説明】
１．プリンターが収納されている部分
２  ＬＥＤ
３  デスクのトレイ部
４  ＬＥＤ
５  デスク
６  デスク押さえ器具
７  インク
８  トレイ
９  プリンターガードレール
１０  デスク繰上げ部品
１１  モーター
【図１】
0003130945.tif 000003
【図２】
0003130945.tif 000004
【図３】
0003130945.tif 000005
【図４】
0003130945.tif 000006
【手続補正書】
【提出日】平成18年7月21日(2006.7.21)
【手続補正１】
【補正対象書類名】実用新案登録請求の範囲
【補正対象項目名】全文
【補正方法】変更
【補正の内容】
【実用新案登録請求の範囲】
【請求項１】
ＣＤ，ＤＶＤの光学装置に印刷するための機構、図４の７のインク噴射装置と押さえ器具６を繰り上げる部品と１０のデスク繰上げ部品を取り付けることで画像録画とレーベル印刷が出来るひとつの新たな装置ＤＶＤプリンター
【請求項２】
請求項１の７のインク噴射装置と押さえ器具繰上げ部品６とデスク繰上げ部品１０はその駆動において単独のチップ内の集積回路のみならず、パソコン内でのソフトでも駆動可能であること。
【手続補正書】
【提出日】平成18年11月7日(2006.11.7)
【手続補正１】
【補正対象書類名】実用新案登録請求の範囲
【補正対象項目名】全文
【補正方法】変更
【補正の内容】
【実用新案登録請求の範囲】
【請求項１】
ＤＶＤデスクが録画されたときに、すぐに、そのレーベル面に印刷を施すために、ＤＶＤレコーダーに印刷機能を付け加えて、レコーダーから、デスクを取り出したときにはデスクにレーベル印刷が施されているようにするために、レコーダー内にインクカートリッジを取り付けて、そのインクカートリッジは、一般のプリンター同様に左右に移動するが、さらに、それと同時に前後にも移動する駆動装置を備えており、デスクが紙のように前へ繰り出さなくても印刷が可能になっている。さらにインクカートリッジは、デスクの表面を移動するようになっているので、デスク押さえ器具は、上部に移動するように構成されており、またデスクを回転軸から繰り上げるために、デスク繰上げ装置が取り付けられている。以上のようにレコーダー内でレーベル印刷を行うためにインクカートリッジとその駆動装置とデスク押さえ器具繰上げ装置と、デスク繰上げ装置とを備えたＤＶＤレコーダー。